(57)【要約】【課題】本発明は、オペレータの訂正入力画面上での誤ったキー入力操作を減少させることのできる光学的文字認識装置および同装置の訂正入力制御方法を提供することを課題とする。【解決手段】候補絞り込み処理部１４は、辞書照合部１３で取得した候補文字それぞれについて、複合辞書１５に含まれる形状チェック用辞書１５２を用いて、認識した文字の形状をもとに、訂正入力に適合するか否かを判定し、訂正入力に適合しない候補文字を排除して、訂正入力可能な候補文字の絞り込みを行い、その絞り込みの結果をリジェクト訂正部１６に通知する。【選択図】　　図１
2004094802.tif 000002
【特許請求の範囲】
【請求項１】
辞書を用いて認識した文字を訂正画面上で候補文字を選択して訂正する訂正入力機能を備えた光学的文字認識装置に於いて、
前記訂正画面上で選択可能な候補文字を、前記認識した文字の形状に依存して絞り込む処理手段を具備したことを特徴とする光学的文字認識装置。
【請求項２】
被読取帳票をスキャナで走査して得た画像から記入文字の画像データを１文字ずつ抽出する第１の手段と、
前記第１の手段で抽出した記入文字の画像データと、予め設定されたフォーマットコントロールの定義とをもとに、予め用意された辞書を用いて、前記記入文字を認識し、認識した結果の候補文字を取得する第２の手段と、
前記第２の手段で取得した候補文字について、前記辞書を用いて、前記認識した文字の形状をもとに、訂正入力に適合するか否かを判定し、訂正入力に適合しない候補文字を排除して、前記認識した文字に対する訂正入力可能な候補文字を、前記認識した文字の形状に依存して絞り込む第３の手段と
を具備したことを特徴とする光学的文字認識装置。
【請求項３】
前記第３の手段は、前記記入文字に対して候補字種を対象に得点を付与する第１の辞書と、前記記入文字に対して形状をチェックし類似度を判定する第２の辞書とを用いて、訂正入力に適合しない候補文字を訂正入力不可扱いにする請求項２記載の光学的文字認識装置。
【請求項４】
前記第２の辞書には、前記記入文字に対して形状をチェックする辞書の各エントリに、訂正入力候補としての適否を示す制御フラグを設けたことを特徴とする請求項３記載の光学的文字認識装置。
【請求項５】
前記第３の手段で選別された訂正入力に適合する候補文字を前記第１の辞書で付与した得点順に訂正入力候補として訂正画面に表示する手段を具備したことを特徴とする請求項３記載の光学的文字認識装置。
【請求項６】
前記第３の手段で選別された訂正入力に適合する候補文字を前記第１の辞書で付与した得点に従い選別して、訂正入力可能な候補文字を更に制限する手段を具備した請求項３記載の光学的文字認識装置。
【請求項７】
前記訂正入力不可扱いとなった候補文字が訂正入力された際に警告を行う手段を具備したことを特徴とする請求項３記載の光学的文字認識装置。
【請求項８】
前記訂正入力不可扱いとなった候補文字を直接選択できない訂正入力候補として所定の表示形態で表示する手段を具備した請求項３記載の光学的文字認識装置。
【請求項９】
辞書を用いて認識した文字を訂正画面上で候補文字を選択して訂正する訂正入力機能を備えた光学的文字認識装置の訂正入力制御方法に於いて、
前記辞書より取得した候補文字を、前記認識した文字の形状に依存して絞り込み、
前記認識した文字に対して類似度が低い字種を前記訂正画面上で選択可能な候補から排除したことを特徴とする光学的文字認識装置の訂正入力制御方法。
【請求項１０】
辞書を用いて認識した文字を訂正画面上で候補文字を選択して訂正する訂正入力機能を備えた光学的文字認識装置の訂正入力制御方法に於いて、
前記辞書に、認識対象文字の形状をチェックし類似度を判定する形状チェック用辞書を含み、前記形状チェック用辞書に、訂正入力用の候補を振り分ける制御情報を付加して、
前記辞書より取得した候補文字の中から、前記形状チェック用辞書に付加した制御情報を参照して、訂正入力に適合しない候補文字を排除し、前記訂正画面上で選択可能な候補文字を制限した
ことを特徴とする光学的文字認識装置の訂正入力制御方法。
【請求項１１】
前記辞書に、前記認識対象文字に対して候補字種を対象に得点を付与する得点辞書を含み、
前記形状チェック用辞書に付加した制御情報を参照して制限した候補文字を前記得点辞書で付与した得点順に、訂正入力候補として訂正画面に表示することを特徴とする請求項１０記載の光学的文字認識装置の訂正入力制御方法。
【請求項１２】
前記辞書に、前記認識対象文字に対して候補字種を対象に得点を付与する得点辞書を含み、
前記形状チェック用辞書に付加した制御情報を参照して制限した候補文字を、更に、前記得点辞書より取得した得点で制限することを特徴とする請求項１０記載の光学的文字認識装置の訂正入力制御方法。
【発明の詳細な説明】
【０００１】
【発明の属する技術分野】
本発明は、認識辞書を用いて認識した文字を訂正画面上で候補文字を選択して訂正する訂正入力機能を備えた光学的文字認識装置、および光学的文字認識装置の訂正入力制御方法に関する。
【０００２】
【従来の技術】
被読取帳票をスキャナで走査して得た入力画像から記入文字を１文字ずつ切り出し抽出する文字抽出部と、この文字抽出部で抽出した記入文字を予め用意された辞書を用いて文字認識し、その認識結果として上記記入文字の文字コードおよび候補文字を取得する認識処理部を備えた光学的文字認識装置に於いては、辞書を用いて認識した文字を訂正画面上で候補文字を選択して訂正する訂正入力機能を備え、認識処理した文字について、人為的な訂正を可能にしている。
【０００３】
この種、光学的文字認識装置に於いては、読取フィールド定義情報（フォーマットコントロール）にて、読取行の読取字種や訂正字種の指定を行うことができ、訂正入力できる字種を限定することができた。
【０００４】
しかしながら、従来では、フォーマットコントロールで読取字種を指定して、読取行を読んだとき、フォーマットコントロールで定義した全ての字種に対して訂正入力を可能にしていた。即ち、類似度が低い字種について訂正入力を禁止することができなかった。一例を示すと、フォーマットコントロールで読取字種を数字の「０〜９」とした、読取行を読んだとき、現状の辞書性能から、明らかに排他できる字種が存在するにも拘わらず、その入力を許可している。例えばフォーマットコントロールで読取字種を数字の「０〜９」と定義されている読取行に対して、「１」を認識したとき、「７」の誤読の可能性はあるが、「８」，「９」等の誤読の可能性は極端に低い。このような場合でも、従来では、誤読の可能性の極端に低い各字種を訂正画面上で選択可能にしていた。
【０００５】
このため、従来では、オペレータの誤キーインを抑制できず、人為的な入力誤りを依然として低減できないという問題があった。特に、近年では、記憶装置の大容量化、処理装置の高速化等に伴い、辞書機能が拡充（大容量化）され、システム性能が著しく向上してきたことから、システム側の誤認識よりもオペレータの誤キーインが目立つようになってきた。
【０００６】
【発明が解決しようとする課題】
上述したように、従来では、オペレータの訂正入力画面上での誤ったキー入力操作について、これを減少する方策が採られておらず、システム側の誤認識の低減化に対して訂正入力でのオペレータの誤キーインが改善されないという問題があった。
【０００７】
本発明は上記実情に鑑みなされたもので、オペレータの訂正入力画面上での誤ったキー入力操作を減少させることのできる光学的文字認識装置、および光学的文字認識装置の訂正入力制御方法を提供することを目的とする。
【０００８】
【課題を解決するための手段】
本発明は、認識処理で候補に一度挙げられた複数の候補文字を、更に、辞書を用いて、認識した文字の形状に依存して絞り込み、訂正入力の候補に適合しない候補文字を訂正入力不可扱いにして、訂正入力可能な候補文字を制限したことを特徴とする。これにより、オペレータの訂正入力画面上での誤ったキー入力操作を減少させることができる。
【０００９】
この際、訂正入力不可扱いにされた候補文字の入力については、当該候補文字を特定色等により注意を促す表示形態で表示する手段、当該候補文字がキーインされた際にオペレータに警告を行う手段、所定のファンクションキー操作を介在させて入力可能にする手段等を単独若しくは組み合わせて用いることにより、訂正画面上での訂正入力機能を損なうことなく、オペレータの訂正入力画面上での誤ったキー入力操作を減少させることができる。
【００１０】
【発明の実施の形態】
以下、図面を参照して本発明の実施形態を説明する。
【００１１】
図１は本発明の実施形態に於ける光学的文字認識装置の構成を示すブロック図である。
【００１２】
図１に示す光学的文字認識装置は、文字読取部１０と、文字抽出部１１と、文字認識部１２と、リジェクト訂正部１６とを有して構成される。
【００１３】
文字読取部１０は、被読取帳票（Ｐ）をスキャナ走査して、被読取帳票（Ｐ）上の記入文字を含む入力画像を取得する。文字抽出部１１は、文字読取部１１で取得した入力画像から記入文字を１文字ずつ切り出して文字抽出する。文字認識部１２は、文字抽出部１１で抽出した記入文字（文字パターン）を予め用意された辞書と照合して、文字認識し、その認識結果として上記記入文字に対する候補文字を取得する。リジェクト訂正部１６は、文字認識部１３で認識した文字について、訂正入力画面上でのオペレータのキーイン操作による訂正入力を可能にする。
【００１４】
上記文字認識部１２は、辞書照合部１３と、候補絞り込み処理部１４と、複合辞書１５とを有して構成される。
【００１５】
辞書照合部１３は、文字抽出部１１で抽出した記入文字について、フォーマットコントロールの定義に従い、複合辞書１５に含まれる、後述する得点辞書１５１を用いて、一定数の候補文字を得点順に取得する。
【００１６】
候補絞り込み処理部１４は、辞書照合部１３で取得した候補文字それぞれについて、複合辞書１５に含まれる、後述する形状チェック用辞書１５２を用いて、認識した文字の形状をもとに、訂正入力に適合するか否かを判定し、訂正入力に適合しない候補文字を排除して、訂正入力可能な候補文字の絞り込みを行い、その絞り込みの結果をリジェクト訂正部１６に通知する。
【００１７】
複合辞書１５は、上記記入文字に対して候補字種を対象に得点を付与する得点辞書１５１と、上記記入文字に対して形状をチェックし類似度を判定する形状チェック用辞書１５２とを有する。更に、上記形状チェック用辞書１５２には、各字種の形状チェック用辞書それぞれに、訂正入力用の候補を振り分けるための制御フラグが付加される。
【００１８】
図２乃至図６はそれぞれ本発明の実施形態を説明するための図である。
図２は上記リジェクト訂正部１６に於ける、読取り結果を表示する訂正入力画面の一部表示例を示したもので、ここでは、上段に記入文字のイメージ表示部、下段に読取結果を表示するテキストボックスがそれぞれ設けられ、読取り結果として、上段のイメージ表示部に記入文字「１０００」のイメージが表示され、下段のテキストボックスに読取（認識）結果として「１０００」が表示されている。更にテキストボックスには訂正対象文字位置にカーソルが表示される。
【００１９】
図３は上記複合辞書１５に含まれる得点辞書１５１を用いた認識結果の候補出力例を示したもので、ここでは、上記図３のテキストボックスにカーソルで示した候補文字「１」に対する得点順位と字種の関係を示している。この例では、読取字種を「０〜９」とした際の第１位から第６位までの候補について、その各字種の得点順位が示されている。ここでは、字種「１」の得点が最も高く、続いて字種「７」の得点が高い。
【００２０】
図４は上記図３に示した各候補字種についての辞書得点（類似度点）の一例を示したもので、ここでは、字種「１」が９０点で最も高く、字種「７」が８５点で続く。
【００２１】
図５は上記図３および図４に示した認識結果の候補字種について、上記候補絞り込み処理部１４が形状チェック用辞書１５２を参照して訂正入力用に絞り込みを行った結果を上記リジェクト訂正部１６の訂正入力画面上の候補に反映した一例を示したもので、ここでは、上記図３、図４に示した認識結果の候補字種について、第３位以降の各候補字種（６，９，３，５）が上記候補絞り込み処理部１４の絞り込み処理結果に従ってマスキングされ、訂正入力不可扱いとなっている例を示している。この訂正入力不可扱いにされた候補文字の入力については、当該候補文字を特定色等により注意を促す表示形態で表示する手段、当該候補文字がキーインされた際にオペレータに警告を行う手段、所定のファンクションキー操作を介在させて入力可能にする手段等を単独若しくは組み合わせて用いることで、訂正画面上での訂正入力機能を損なうことなく、オペレータの訂正入力画面上での誤ったキー入力操作を減少させることができる。
【００２２】
図６は上記複合辞書１５に含まれる形状チェック用辞書１５２に付加された、訂正入力用の候補を振り分ける制御フラグの一例を示したもので、ここでは、形状チェック用辞書１５２を構成する、各字種（０〜９）の辞書エントリ（Ｐ１，Ｐ２，…）毎に、訂正入力用の候補を振り分ける制御フラグ（ＦＬ）が付加される。例えば字種「６」の辞書エントリ（Ｐ１）については、その形状の特徴から、「２」以降の各候補文字（この例では数字２〜９）が全て訂正入力候補に適合しない候補文字であるとして、制御フラグに“１”がセットされ、「０」および「１」については、訂正入力候補に適合する候補文字であるとして、制御フラグに“０”がセットされている。また、字種「６」の辞書エントリ（Ｐ３）については、その形状の特徴から、「３」「５」「７」「９」の各候補文字が全て訂正入力候補に適合しない候補文字であるとして、制御フラグに“１”がセットされ、「０」「１」「２」「４」「８」については、訂正入力候補に適合する候補文字であるとして、制御フラグに“０”がセットされている。
【００２３】
ここで、上記各図を参照して本発明の実施形態に於ける動作を説明する。尚、文字読取部１０、および文字抽出部１１と、文字認識部１２に於ける辞書照合部１３の各処理動作については、既存のＯＣＲ技術に於いて既に実現されているので、ここではこれら各機能部の詳細な処理について、その説明を省略する。
【００２４】
文字読取部１０は、被読取帳票（Ｐ）をスキャナ走査して、被読取帳票（Ｐ）上の記入文字を含む入力画像を取得し文字抽出部１１に送出する。文字抽出部１１は、文字読取部１１で取得した被読取帳票（Ｐ）の入力画像から記入文字を１文字ずつ切り出し、切り出した記入文字を文字認識部１２に送出する。
【００２５】
文字認識部１２は、文字抽出部１１で抽出した記入文字を予め用意された辞書と照合して、文字認識し、その認識結果として上記記入文字に対する候補文字を取得する。
【００２６】
リジェクト訂正部１６は、文字認識部１３で認識した文字について、訂正入力画面上でのオペレータのキーイン操作による（候補文字の選択による）訂正入力を可能にする。
【００２７】
この訂正入力画面上で、例えば図２に示すように、上段のイメージ表示部に記入文字「１０００」のイメージが表示され、下段のテキストボックスに読取（認識）結果として「１０００」が表示され、更にテキストボックスの「１」に訂正対象文字位置を示すカーソルが表示されているものとする。
【００２８】
この際、文字認識部１２に於いて、辞書照合部１３では、上記記入文字「１」について、予め設定されたフォーマットコントロールの定義に従い、複合辞書１５に含まれる、得点辞書１５１を用いて、一定数の候補文字を得点順に取得する。この一例を図３および図４に示している。
【００２９】
この図３および図４に示す例では、字種「１」の得点が９０点で最も高く、字種「７」の得点が８５点で次に高い。
【００３０】
上記辞書照合部１３で得点辞書１５１を用いて取得した上記各候補文字（ここでは字種１，７，６，９，３，５）について、従来では、これらの各候補文字が全てリジェクト訂正部１６の訂正入力対象となったが、本発明に於いては、この辞書照合部１３で取得した上記各候補文字が、候補絞り込み処理部１４により、更に絞り込まれて、訂正入力に適合しない候補文字が篩い落とされ、訂正入力に適合する候補文字のみが、リジェクト訂正部１６での訂正入力対象として残される。
【００３１】
この際の候補絞り込み処理部１４による、訂正入力用の絞り込みの処理は、図６に示す形状チェック用辞書１５２の各辞書エントリ（Ｐ１，Ｐ２，…）に付加された制御フラグ（ＦＬ）に基づいて行われる。
【００３２】
ここでは、図２に示す上段のイメージ表示部に表示された記入文字「１０００」のイメージのうち、下段のテキストボックスにカーソルで示された「１」のイメージについて、その形状の特徴にパターンマッチした辞書エントリ（Ｐｉ）に付加された制御フラグ（ＦＬ）をもとに訂正入力に対する適否についての振り分けが行われ、上記図３、図４に示した各候補字種「１」「７」「６」「９」「３」「５」のうち、図５に示すように、第３位以降の各候補字種「６」「９」「３」「５」がそれぞれ訂正入力不可扱いとしてマスキングされ、「１」と「７」がそれぞれ訂正入力可能な候補として残される。このような認識した文字の形状に依存した訂正入力候補文字の絞り込み機能をもつことで、オペレータの訂正入力画面上での誤ったキー入力操作を減少させることができる。
【００３３】
この際、訂正入力不可扱いにされた上記候補文字（６，９，３，５）の入力について、当該候補文字を例えば特定色等により注意を促す表示形態で表示する手段、当該候補文字がキーインされた際にオペレータに警告を行う手段、所定のファンクションキー操作を介在させて入力可能にする手段等を単独若しくは組み合わせて用いることで、訂正画面上での訂正入力機能を損なうことなく、オペレータの訂正入力画面上での誤ったキー入力操作を減少させることができる。
【００３４】
尚、上記した実施形態では、認識処理の対象として字種０〜９の数字を例に挙げたが、これに限らず他の字種についても同様に訂正入力の候補絞り込みが可能である。また、上記した実施形態では、文字認識部１２で用いる辞書として、得点辞書１５１と形状チェック用辞書１５２を備えた複合辞書１５を例に示したが、これに限らず、訂正入力の候補絞り込みに用いる辞書に、図６に示すような制御フラグを付加することで、他の辞書を用いことも可能である。
【００３５】
【発明の効果】
以上詳記したように本発明によれば、訂正入力機能を備えた光学的文字認識装置に於いて、オペレータの訂正入力画面上での誤ったキー入力操作を減少させることができる。
【図面の簡単な説明】
【図１】本発明の実施形態に於ける光学的文字認識装置の構成を示すブロック図。
【図２】上記実施形態に於ける訂正入力画面の一部表示例を示す図。
【図３】上記実施形態に於ける複合辞書に含まれる得点辞書を用いた認識結果の候補出力例を示す図。
【図４】上記図３に示した各候補字種についての辞書得点（類似度点）の一例を示す図。
【図５】上記図５は上記図３および図４に示した認識結果の候補字種について訂正入力用に絞り込みを行った結果の候補表示出力例を示す図。
【図６】上記実施形態に於ける形状チェック用辞書に付加された制御フラグの一例を示す図。
【符号の説明】
１０…文字読取部
１１…文字抽出部
１２…文字認識部
１３…辞書照合部
１４…候補絞り込み処理部
１５…複合辞書
１６…リジェクト訂正部
１５１…得点辞書
１５２…形状チェック用辞書
Ｐ…被読取帳票
ＦＬ…制御フラグ
【図１】
2004094802.tif 000003
【図２】
2004094802.tif 000004
【図３】
2004094802.tif 000005
【図４】
2004094802.tif 000006
【図５】
2004094802.tif 000007
【図６】
2004094802.tif 000008